(57)【要約】【課題】  映像表示装置は、実際に映像が表示される有効な領域（有効エリア）の周囲に、額縁のように構成される領域（額縁エリア）を、小さくすること（ナロー化）が課題になっていた。【解決手段】  実施形態の映像表示装置は、第１の主面および第２の主面を備え、前記第２の主面側に、シャーシに支持されるように設けられる第１の支持部を備える導光板を備える。  また、実施形態の映像表示装置は、前記導光板の前記第１の支持部と支持されるように設けられる第２の支持部を備える。【選択図】  図５
2013137335.tif 000002
【特許請求の範囲】
【請求項１】
第１の主面および第２の主面を備え、前記第２の主面側に、シャーシに支持されるように設けられる第１の支持部を備える導光板と、
前記導光板の前記第１の支持部と支持されるように設けられる第２の支持部を備える前記シャーシを収容する映像表示装置。
【請求項２】
前記導光板の前記第１の主面は有効エリアを備え、前記第１の支持部は、前記第１の主面の有効エリアの裏面の前記第２の主面に設けられる請求項１に記載の映像表示装置。
【請求項３】
前記第１の支持部および前記第２の支持部は複数設けられる請求項１に記載の映像表示装置。
【請求項４】
前記第１の支持部は凹部を、前記第２の支持部は凸部を備え、前記凹部と前記凸部が支持される請求項１に記載の映像表示装置。
【請求項５】
前記第１の支持部は凸部を、前記第２の支持部は凹部を備え、前記凸部と前記凹部が支持される請求項１に記載の映像表示装置。
【請求項６】
光源を備え、前記光源から出力された光が受光される請求項１に記載の映像表示装置。
【請求項７】
前記第１の主面はユーザに対向する面である請求項１に記載の映像表示装置。
【請求項８】
前記第１の支持部は、前記導光板の有効エリアの実質的な端部近傍に設けられる請求項２に記載の映像表示装置。
【請求項９】
放送を受信するチューナ部を備え、前記受信した放送の映像を前記導光板の第１の主面に出力する請求項１に記載の映像表示装置。
【発明の詳細な説明】
【技術分野】
【０００１】
本発明の実施形態は、映像表示装置に関する。
【背景技術】
【０００２】
近年、テレビ（ＴＶ）やパーソナルコンピュータ（ＰＣ）等、液晶を用いた映像表示装置が普及している。
【０００３】
そして、これらの映像表示装置は、実際に映像が表示される有効な領域（有効エリア）の周囲に額縁のように構成される領域（額縁エリア）を、小さくすること（ナロー化）が望まれている。
【０００４】
このため、映像表示装置の額縁エリアを、小さくすることが課題になっていた。
【先行技術文献】
【特許文献】
【０００５】
【特許文献１】特開２００８−０２０７４９号公報
【発明の概要】
【発明が解決しようとする課題】
【０００６】
映像表示装置の額縁エリアを、小さくすることが課題になっていた。
【課題を解決するための手段】
【０００７】
実施形態の映像表示装置は、第１の主面および第２の主面を備え、前記第２の主面側に、シャーシに支持されるように設けられる第１の支持部を備える導光板を備える。
【０００８】
また、前記導光板の前記第１の支持部と支持されるように設けられる第２の支持部を備える。
【図面の簡単な説明】
【０００９】
【図１】実施形態に係わる映像表示装置の外観を示す図。
【図２】実施形態に係わる映像表示装置の構成を示すブロック図。
【図３】実施形態に係わる映像表示装置の有効エリアと額縁エリアを示す図。
【図４】映像表示装置に収容された導光板の比較例を示す図。
【図５】実施形態に係わる映像表示装置に収容された導光板を示す図。
【図６】他の実施形態に係わる映像表示装置に収容された導光板を示す図。
【発明を実施するための形態】
【００１０】
以下、図面を参照し、実施の形態を説明する。
【００１１】
図１は、実施形態に係わる映像表示装置の外観を示す図である。
【００１２】
ここでは、一例として、テレビを用い、説明を行うが、この実施形態は、パーソナルコンピュータ（ＰＣ）やスマートフォン等の映像表示装置に適用することも可能である。
【００１３】
映像表示装置（テレビ）１は、例えば、ユーザによってリモコン（リモートコントローラ）２１が操作される。
【００１４】
このリモコン２１から出力されたリモコン信号が映像表示装置（テレビ）１の操作受信部２０で受信される。
【００１５】
リモコン信号を受信した映像表示装置（テレビ）１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００１６】
また、この映像表示装置（テレビ）１は、例えば、ＵＳＢ端子等で外付けされる外部記憶機器（ＨＤＤ等）１９を備えている。そして、例えば、映像表示装置１で受信された放送を、この外部記憶機器１９に録画することが可能である。
【００１７】
また、この映像表示装置（テレビ）１は、この映像表示装置（テレビ）１に接続、あるいは、内蔵されるバッテリ（図示せず）を備えている。
【００１８】
このバッテリは、例えば、上記商用電源から給電を受け、充電することが可能である。
【００１９】
また、この実施形態に係る映像表示装置（テレビ）１は、光源として、ＬＥＤ（発光ダイオード、Ｌｉｇｈｔ  Ｅｍｉｔｔｉｎｇ  Ｄｉｏｄｅ）が用いられ、導光板を備えている。
【００２０】
ここで、導光板の説明をする。
【００２１】
導光板は、例えば、エッジライト方式のバックライトに用いられる。エッジライト方式は、サイドライト方式または、導光板方式とも呼ばれる。
【００２２】
エッジライト方式は、テレビの他に、小型液晶、ノート型パソコン、ＬＣＤモニター等にも用いられる。
【００２３】
導光板（ＬＧＰ、Ｌｉｇｈｔ  Ｇｕｉｄｉｎｇ  Ｐａｎｅｌ）は、例えば、側面から入れた光を拡散させ、表面に均一の光を出す板である。
【００２４】
この導光板を映像表示装置（テレビ）１の表示パネル（液晶等）の背面に使用することで、例えば、背面に蛍光灯を入れなくとも、薄く、ムラのない表示パネル（液晶等）を製造することが可能になる。
【００２５】
また、この導光板は、上記のように板状に構成されており、第１の主面および第２の主面を備えている。
【００２６】
例えば、第１の主面は図１に示すように、例えば、液晶等を介してユーザ１００に対向する面である。また、第２の主面は、ユーザ１００に対向しない面である。すなわち、第１の主面を表とすると第２の主面は、裏面である。
【００２７】
また、導光板は、上記ＬＥＤから出力された光を受光し、この受光した光を拡散させて上記第１の主面に光を出力する。
【００２８】
また、導光板には、製造方式に由来する複数の種類があり、例えば、シルク印刷方式、Ｖ溝カット方式、成形方式、レーザー方式等がある。
【００２９】
シルク印刷方式は、例えば、導光板表面にドットパターンを印刷する方式である。この方式は、イニシャルコストが必要となるが、高輝度、安価であり、量産に向いているという特徴がある。
【００３０】
また、Ｖ溝カット方式は、例えば、導光板表面にプロッターで溝を削る方式である。この方式は、品質にバラつきが生じることがあり、主に大型製品に向いているという特徴がある。
【００３１】
また、成形方式は、例えば、型材にアクリルを流し込み、導光板を成形する方式である。この方式は、金型代が必要になるが、小型製品にも大型製品にも適用可能である。そして、大量生産に向いているという特徴がある。
【００３２】
また、レーザー方式は、例えば、レーザー波で、導光板の表面にキズをつける方式である。この方式は、少ロットでも対応が可能である。この方式で導光板を作成すると、均一に発光しやすく、小型製品に向いているという特徴がある。
【００３３】
そして、この実施形態においては、導光板は、例えば、上記成形方式を用いて成形される。
【００３４】
図２は、実施形態に係わる映像表示装置の構成を示すブロック図である。
【００３５】
この実施形態においては、制御部１１はＣＰＵ（１２）を備えている。そして、ＣＰＵ（１２）は映像表示装置（テレビ）１を制御する。
【００３６】
また、ＲＡＭ（１３）、ＲＯＭ（１４）、フラッシュメモリ１５は、例えば、制御部１１で行われる処理に利用される。
【００３７】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００３８】
信号処理部４で受信されたデジタル信号の映像コンテンツは信号処理が施され、音声処理部６および映像処理部５に送信される。
【００３９】
音声処理部６は、信号処理が施された映像コンテンツを受信し、音声処理を施した信号をスピーカ９に送信する。
【００４０】
スピーカ９は、音声処理が施された信号を受信し、音声を出力する。
【００４１】
また、映像処理部５は、信号処理が施された映像コンテンツを受信し、映像処理を施した信号を表示装置７に送信する。
【００４２】
表示装置７は、映像処理が施された信号を受信し、ＬＣＤパネル等で構成される表示画面（映像表示部）８に映像を表示する。
【００４３】
また、この実施の形態においては、映像表示装置（テレビ）１は内部記憶装置１７を備えている。この内部記憶装置１７は、上記外部記録機器１９と同様に、例えば、他の映像表示装置（相手方）１０１から送信され、映像表示装置（テレビ）１で受信されたテレビ電話通信の映像コンテンツ（映像および音声）を録画することが可能である。この内部記憶装置１７は、上記受信された映像コンテンツを記録することが可能である。
【００４４】
また、この実施の形態においては、映像表示装置（テレビ）１は、上記のようにＵＳＢ接続やＬＡＮ接続される外部記憶機器１９を備えている。上記受信された映像コンテンツはこの外部記憶機器１９に記録することも可能である。
【００４５】
また、上記のように、映像表示装置（テレビ）１に対するユーザの操作は、例えば、リモコン（リモートコントローラ）２１等の操作機器によって指示される。
【００４６】
これらの処理は、上記のように、制御部１１に制御される。
【００４７】
また、映像表示装置（テレビ）１は、送受信部（ネットワークインターフェース）２２、ネットワーク（インターネット）２６を介してサーバ２７に接続され、次に説明する映像表示装置（テレビ）１の電力受給情報を用い、例えば、ＣＰＵ（１２）の指示で、映像表示装置（テレビ）１の停電の予定情報を、このネットワーク（インターネット）２６を介して取得することが可能である。
【００４８】
図３は、実施形態に係わる映像表示装置の有効エリアと額縁エリアを示す図である。
【００４９】
図３（ａ）は、図１に示すように、例えば、ユーザ１００から映像表示装置１の正面を見た図である。
【００５０】
また、図３（ｂ）は、ここでの全体の額縁エリア３１を示している。
【００５１】
図３（ａ）に示すように、ユーザ１００は、映像表示装置１に対向し、その表示画面（有効エリア）８に表示される映像を視聴する。
【００５２】
上記のように、導光板４１は、映像表示装置（テレビ）１の表示パネル（液晶等）の背面に使用されるが、ここでは、特に図示を省略する。
【００５３】
そして、導光板４１は、映像表示装置１内部に収容される。その一部は、図３（ａ）に示すように、額縁エリア３１と重複し、ユーザ１００に対して隠れることになり、表示パネル（液晶等）を用いた上記映像の表示には、実質的に、あまり供されない。
【００５４】
図４は、映像表示装置に収容された導光板の比較例を示す図である。
【００５５】
ユーザ１００は、映像表示装置１に対向し、その表示画面（有効エリア）８に表示される映像を視聴する。
【００５６】
図４（ａ）および図４（ｂ）に示すように、導光板４１はバックシャーシ（バックベゼル）４５に収容される。
【００５７】
このとき、この例では、例えば、平板から切り出された導光板４１の画面有効エリア５０以外の周囲のエリアに切削加工を行い、図４（ａ）に示すように、例えば、複数（ここでは５つ）の切り欠きが設けられる。
【００５８】
また、バックシャーシ（バックベゼル）４５には、上記切り欠きに対応するように、図４（ａ）および図４（ｂ）に示す、複数のピン（ピン４２ａ、ピン４２ｂ、ピン４２ｃ、ピン４２ｄ、ピン４２ｅ）が設けられる。
【００５９】
ここで、図４（ｂ）は、図４（ａ）のＡ−Ａ断面を示す図である。
【００６０】
そして、上記複数の切り欠きと上記複数のピンが固定され、導光板４１はバックシャーシ（バックベゼル）４５に固定される。
【００６１】
また、導光板４１は、複数のＬＥＤ（ＬＥＤ４４ａ、ＬＥＤ４４ｂ、ＬＥＤ４４ｃ、ＬＥＤ４４ｄ、ＬＥＤ４４ｅ）から出力された光が側面から入れられ、この光を拡散させ、表面に均一の光を出す。
【００６２】
このとき、この例では、上記画面有効エリア５０以外の周囲のエリアで上記複数の切り欠きと上記複数のピンが固定され、導光板４１はバックシャーシ（バックベゼル）４５に固定される。このため、上記額縁エリア３１は、図４（ａ）に示すようになる。
【００６３】
図５は、実施形態に係わる映像表示装置に収容された導光板を示す図である。
【００６４】
この実施形態においては、導光板４１は、上記のように、例えば、成形方式（インジェクション方式）を用いて成形される。
【００６５】
そして、図５（ａ）、図５（ｂ）、図５（ｃ）に示すように、導光板４１は、板であり、２つの主面、すなわち、上記のように、ユーザに対向する第１の主面５１およびユーザに対向しない第２の主面５２を備えている。
【００６６】
また、ここでは、バックシャーシ（バックベゼル）４５は、上記のように、上記導光板４１を収容し、上記導光板４１と嵌合（あるいは必ずしも嵌合しなくとも支持）する複数のシャーシ嵌合部（第２の支持部）（４５ａ、４５ｂ、４５ｃ、４５ｄ）を備えている。
【００６７】
なお、ここでは、シャーシ嵌合部（第２の支持部）（４５ａ、４５ｂ、４５ｃ、４５ｄ）はバックシャーシ（バックベゼル）４５に設けられているものと例示するが、例えば、これらが別部材として形成されているように構成しても良い。
【００６８】
ここでは、シャーシ嵌合部（第２の支持部）（４５ａ、４５ｂ、４５ｃ、４５ｄ）は、凸部を備えている。
【００６９】
また、上記導光板４１の上記第２の主面５２には、例えば、上記のように、成形方式（インジェクション方式）を用い、上記第２の主面５２に一体に形成され、上記複数のシャーシ嵌合部（第２の支持部）（４５ａ、４５ｂ、４５ｃ、４５ｄ）とそれぞれ嵌合（あるいは必ずしも嵌合しなくとも支持）するように、導光板嵌合部（第１の支持部）（４１ａ、４１ｂ、４１ｃ、４１ｄ）が設けられている。
【００７０】
導光板嵌合部（第１の支持部）（４１ａ、４１ｂ、４１ｃ、４１ｄ）は、凹部を備えている。
【００７１】
ここでは、導光板嵌合部（第１の支持部）（４１ａ、４１ｂ、４１ｃ、４１ｄ）は、例えば、上記のように、実質的な有効領域である、画面有効エリア５０（２点鎖線）内に形成される。
【００７２】
ここでは、導光板嵌合部（第１の支持部）（４１ａ、４１ｂ、４１ｃ、４１ｄ）は、例えば、実質的な画面有効エリア５０（２点鎖線）内の、端部近傍に４つ設けられている。また、ここでは、これらの導光板嵌合部（第１の支持部）（４１ａ、４１ｂ、４１ｃ、４１ｄ）は、それぞれ、画面有効エリア５０（２点鎖線）の隅に形成されている。
【００７３】
また、上記複数のシャーシ嵌合部（第２の支持部）（４５ａ、４５ｂ、４５ｃ、４５ｄ）は、上記のように、これらの導光板嵌合部（第１の支持部）（４１ａ、４１ｂ、４１ｃ、４１ｄ）とそれぞれ嵌合（あるいは必ずしも嵌合しなくとも支持）するように設けられている。
【００７４】
図５（ｂ）は、図５（ａ）のＡ−Ａ断面を示す図である。
【００７５】
この図５（ｂ）からもわかるように、上記導光板４１は、上記バックシャーシ（バックベゼル）４５に収容される。
【００７６】
上記のように、上記導光板４１の上記第２の主面５２には、例えば、上記複数の導光板嵌合部（第１の支持部）（４１ａ、４１ｂ、４１ｃ、４１ｄ）が設けられている。
【００７７】
また、バックシャーシ（バックベゼル）４５には、上記複数のシャーシ嵌合部（第２の支持部）（４５ａ、４５ｂ、４５ｃ、４５ｄ）が設けられており、上記複数のシャーシ嵌合部（第２の支持部）（４５ａ、４５ｂ、４５ｃ、４５ｄ）とそれぞれ嵌合（あるいは必ずしも嵌合しなくとも支持）している。
【００７８】
図５（ｃ）は、上記導光板４１の第１の主面５１および第２の主面５２を示す図である。
【００７９】
この第１の主面５１は上記のように、、例えば、液晶等を介してユーザ１００に対向するように構成される。また、第２の主面５２は、上記第１の主面５１に対して裏面であり、ユーザ１００に対向しないように設けられる。
【００８０】
そして、図５（ａ）、図５（ｂ）に示すように、複数のＬＥＤ（ＬＥＤ４４ａ、ＬＥＤ４４ｂ、ＬＥＤ４４ｃ、ＬＥＤ４４ｄ、ＬＥＤ４４ｅ）から出力された光が導光板４１の側面から入れられる。
【００８１】
そして、導光板４１は、上記と同様に、複数のＬＥＤ（ＬＥＤ４４ａ、ＬＥＤ４４ｂ、ＬＥＤ４４ｃ、ＬＥＤ４４ｄ、ＬＥＤ４４ｅ、ＬＥＤ４４ｆ、ＬＥＤ４４ｇ）から出力された光が側面から入力され、この入力された光を拡散させ、上記第１の主面５１の表面にほぼ均一の光を出力する。
【００８２】
そして、上記と同様に、ユーザ１００は、映像表示装置１に対向し、その表示画面（有効エリア）８に表示される映像を視聴する。
【００８３】
ここで、この実施形態における額縁エリア３１を、図４に示す例と比較する。
【００８４】
すなわち、この実施形態においては、例えば、図４の例のような、上記複数の切り欠きと上記複数のピンの位置を考慮する必要がなくなるため、額縁エリア３１を小さくすることが可能になる。
【００８５】
図６は、他の実施形態に係わる映像表示装置に収容された導光板を示す図である。
【００８６】
この実施形態においても、導光板４１は、例えば、成形方式（インジェクション方式）を用いて成形される。
【００８７】
図６（ａ）、図６（ｂ）、図６（ｃ）に示すように、導光板４１は、板であり、２つの主面、すなわち、上記のように、ユーザに対向する第１の主面５１およびユーザに対向しない第２の主面５２を備えている。
【００８８】
そして、この実施形態においては、上記図６に示す例に比べ、導光板嵌合部（第１の支持部）（４１ａ、４１ｂ、４１ｃ、４１ｄ）は、凸部を備え、シャーシ嵌合部（第２の支持部）（４５ａ、４５ｂ、４５ｃ、４５ｄ）は、凹部を備えている。
【００８９】
また、ここでも、上記と同様に、バックシャーシ（バックベゼル）４５は、上記のように、上記導光板４１を収容し、上記導光板４１と嵌合（あるいは必ずしも嵌合しなくとも支持）する複数のシャーシ嵌合部（第２の支持部）（４５ａ、４５ｂ、４５ｃ、４５ｄ）を備えている。
【００９０】
また、上記導光板４１の上記第２の主面５２には、例えば、上記のように、成形方式（インジェクション方式）を用い、上記第２の主面５２に一体に形成され、上記複数のシャーシ嵌合部（第２の支持部）（４５ａ、４５ｂ、４５ｃ、４５ｄ）とそれぞれ嵌合（あるいは必ずしも嵌合しなくとも支持）するように、導光板嵌合部（第１の支持部）（４１ａ、４１ｂ、４１ｃ、４１ｄ）が設けられている。
【００９１】
ここでは、導光板嵌合部（第１の支持部）（４１ａ、４１ｂ、４１ｃ、４１ｄ）は、例えば、上記のように、ユーザ１００に対して露出される、実質的な有効領域である、画面有効エリア５０（２点鎖線）内に形成される。
【００９２】
ここでも、上記と同様に、導光板嵌合部（第１の支持部）（４１ａ、４１ｂ、４１ｃ、４１ｄ）は、例えば、実質的な画面有効エリア５０（２点鎖線）内の、端部近傍に４つ設けられている。また、ここでも、これらの導光板嵌合部（第１の支持部）（４１ａ、４１ｂ、４１ｃ、４１ｄ）は、それぞれ、画面有効エリア５０（２点鎖線）の隅に形成されている。
【００９３】
また、上記複数のシャーシ嵌合部（第２の支持部）（４５ａ、４５ｂ、４５ｃ、４５ｄ）は、上記のように、これらの導光板嵌合部（第１の支持部）（４１ａ、４１ｂ、４１ｃ、４１ｄ）とそれぞれ嵌合（あるいは必ずしも嵌合しなくとも支持）するように設けられている。
【００９４】
図６（ｂ）は、図６（ａ）のＡ−Ａ断面を示す図である。
【００９５】
この図６（ｂ）からもわかるように、上記導光板４１は、上記バックシャーシ（バックベゼル）４５に収容される。
【００９６】
上記のように、上記導光板４１の上記第２の主面５２には、例えば、上記複数の導光板嵌合部（第１の支持部）（４１ａ、４１ｂ、４１ｃ、４１ｄ）が設けられている。
【００９７】
また、バックシャーシ（バックベゼル）４５には、上記複数のシャーシ嵌合部（第２の支持部）（４５ａ、４５ｂ、４５ｃ、４５ｄ）が設けられており、上記複数のシャーシ嵌合部（第２の支持部）（４５ａ、４５ｂ、４５ｃ、４５ｄ）とそれぞれ嵌合（あるいは必ずしも嵌合しなくとも支持）している。
【００９８】
図６（ｃ）は、上記導光板４１の第１の主面５１および第２の主面５２を示す図である。
【００９９】
この第１の主面５１は上記のように、、例えば、液晶等を介してユーザ１００に対向するように構成される。また、第２の主面５２は、上記第１の主面５１に対して裏面であり、ユーザ１００に対向しないように設けられる。
【０１００】
そして、図６（ａ）、図６（ｂ）に示すように、複数のＬＥＤ（ＬＥＤ４４ａ、ＬＥＤ４４ｂ、ＬＥＤ４４ｃ、ＬＥＤ４４ｄ、ＬＥＤ４４ｅ）から出力された光が導光板４１の側面から入れられる。
【０１０１】
そして、導光板４１は、上記と同様に、複数のＬＥＤ（ＬＥＤ４４ａ、ＬＥＤ４４ｂ、ＬＥＤ４４ｃ、ＬＥＤ４４ｄ、ＬＥＤ４４ｅ、ＬＥＤ４４ｆ、ＬＥＤ４４ｇ）から出力された光が側面から入力され、この入力された光を拡散させ、上記第１の主面５１の表面にほぼ均一の光を出力する。
【０１０２】
そして、上記と同様に、ユーザ１００は、映像表示装置１に対向し、その表示画面（有効エリア）８に表示される映像を視聴する。
【０１０３】
ここで、この実施形態における額縁エリア３１を、図４に示す例と比較する。
【０１０４】
すなわち、この実施形態においては、例えば、図４の例のような、上記複数の切り欠きと上記複数のピンの位置を考慮する必要がなくなるため、額縁エリア３１を小さくすることが可能になる。
【０１０５】
上記のように、この実施形態においては、導光板４１は、上記ユーザに対向する第１の主面５１および上記ユーザに対向しない第２の主面を備えている。そして、例えば、ＬＥＤ等の光源から出力され、受光した光を拡散させて上記第１の主面５１に光を出力する。
【０１０６】
また、シャーシ４５は、上記導光板４１を収容する。そして、このシャーシ４５は、上記導光板４１の一部（導光板嵌合部（第１の支持部）４１ａ）と嵌合（あるいは必ずしも嵌合しなくとも支持）する。
【０１０７】
この導光板嵌合部（第１の支持部）４１ａは、例えば、上記導光板４１の上記第２の主面に一体に形成され、上記シャーシ嵌合部（第２の支持部）４５ａと嵌合（あるいは必ずしも嵌合しなくとも支持）するように設けられる。
【０１０８】
また、上記導光板４１の上記第１の主面５１は、上記のように有効エリア（画面有効エリア５０）を備えている。そして、上記導光板嵌合部（第１の支持部）４１ａは、例えば、上記第１の主面５１の有効エリアの裏面の上記第２の主面５２に設けられる。
【０１０９】
また、上記導光板嵌合部（第１の支持部）４１ａおよび上記シャーシ嵌合部（第２の支持部）４５ａは複数（例えば、４つ等）設けられる。
【０１１０】
また、一つの例では、上記導光板嵌合部（第１の支持部）４１ａは凹部を、上記シャーシ嵌合部（第２の支持部）４５ａは凸部を備え、上記凹部と上記凸部が嵌合（あるいは必ずしも嵌合しなくとも支持）されるように構成しても良い。
【０１１１】
また、他の例では、上記導光板嵌合部（第１の支持部）４１ａは凸部を、上記シャーシ嵌合部（第２の支持部）４５ａは凹部を備え、上記凸部と上記凹部が嵌合（あるいは必ずしも嵌合しなくとも支持）されるように構成しても良い。
【０１１２】
映像表示装置１は、複数のＬＥＤ（ＬＥＤ４４ａ、ＬＥＤ４４ｂ、ＬＥＤ４４ｃ、ＬＥＤ４４ｄ、ＬＥＤ４４ｅ）を備え、上記導光板４１は、上記複数のＬＥＤから出力された光が受光される。
【０１１３】
また、上記導光板４１の上記第１の主面５１は、ユーザに対向する面である。
【０１１４】
また、上記導光板嵌合部（第１の支持部）４１ａは、上記導光板４１の有効エリアの実質的な端部近傍に設けられるようにしても良い。
【０１１５】
また、映像表示装置１は、例えば、放送を受信するチューナ部３を備え、上記受信した放送の映像を上記導光板４１の上記第１の主面５１に出力する。
【０１１６】
上記のように構成することによって、この実施の形態においては、映像表示装置１における上記額縁エリアを、小さくすることが可能になる。
【０１１７】
なお、導光板嵌合部（第１の支持部）４１ａを上記のように構成し、例えば、上記シャーシ嵌合部（第２の支持部）４５ａをヒートシンクに代え、このヒートシンクを用いて導光板嵌合部（第１の支持部）４１ａを固定することも可能である。
【０１１８】
なお、上記実施形態は、記述そのものに限定されるものではなく、実施段階では、その趣旨を逸脱しない範囲で、構成要素を種々変形して具体化することが可能である。
【０１１９】
また、上記実施形態に開示されている複数の構成要素の適宜な組み合せにより種々の発明を形成できる。
【０１２０】
例えば、実施形態に示される全構成要素から幾つかの構成要素を削除してもよい。更に、異なる実施形態に亘る構成要素を適宜組み合せてもよい。
【符号の説明】
【０１２１】
１…映像表示装置（テレビ）、８…表示画面、２０…受信部、２１…リモコン（リモートコントローラ）。３０…導光板、４１…導光板、４１ａ…導光板嵌合部（第１の支持部）、４１ｂ…導光板嵌合部（第１の支持部）、４１ｃ…導光板嵌合部（第１の支持部）、４１ｄ…導光板嵌合部（第１の支持部）、４３…ＬＥＤ基板、４４…ＬＥＤ、４５…シャーシ、４５ａ…シャーシ嵌合部（第２の支持部）、４５ｂ…シャーシ嵌合部（第２の支持部）、４５ｃ…シャーシ嵌合部（第２の支持部）、４５ｄ…シャーシ嵌合部（第２の支持部）。
【図１】
2013137335.tif 000003
【図２】
2013137335.tif 000004
【図３】
2013137335.tif 000005
【図４】
2013137335.tif 000006
【図５】
2013137335.tif 000007
【図６】
2013137335.tif 000008